(57)【要約】【課題】効率的に潅水できると共に、施工が容易にできる。【解決手段】珪藻土およびバイオマスケイク由来のマイクロ気孔と人工的に生成させたミリメートルサイズのトンネル構造孔隙とが相互に連結された二元構造の気孔を持つセラミックス焼結体からなり、帯状に形成されて植物４が植栽されるセラミックス基盤２が、建物の壁面１０に複数取り付けられている。複数のセラミックス基盤２は、植物４が植栽される凹部３が形成されていると共に、長さ方向に傾斜し、セラミックス基盤２の傾斜方向の下側の端部の下方には、他のセラミックス基盤２の傾斜の上側の端部が位置している。【選択図】図１
2011182680.tif 000002
【特許請求の範囲】
【請求項１】
珪藻土およびバイオマスケイク由来のマイクロ気孔と人工的に生成させたミリメートルサイズのトンネル構造孔隙とが相互に連結された二元構造の気孔を持つセラミックス焼結体からなり、帯状に形成されて植物が植栽される複数のセラミックス基盤が、壁面または互いに間隔をあけて配列された複数の支柱間に取り付けられた緑化構造であって、
前記複数のセラミックス基盤は、植物が植栽される凹部が形成されていると共に、長さ方向が水平方向に対して傾斜し、前記セラミックス基盤の傾斜方向下側の端部の下方には、他の前記セラミックス基盤の傾斜方向上側の端部が位置していることを特徴とする緑化構造。
【請求項２】
前記セラミックス基盤の傾斜方向下側の端部から、前記セラミックス基盤の下方に位置する他のセラミックス基盤の傾斜方向上側の端部へ水分を導く導水部材が設けられていることを特徴とする請求項１に記載の緑化構造。
【請求項３】
前記セラミックス基盤は、水平方向に対する傾斜角度が、１°以上１５°以下であることを特徴とする請求項１または２に記載の緑化構造。
【請求項４】
前記複数のセラミックス基盤は、側面視で縦方向に延びるジグザグ状に配列されていることを特徴とする請求項１乃至３のいずれかに記載の緑化構造。
【発明の詳細な説明】
【技術分野】
【０００１】
本発明は、壁面や複数の支柱間を緑化する緑化構造に関し、特に、多孔質のセラミックス焼結体からなるセラミックス基盤を用いた緑化構造に関する。
【背景技術】
【０００２】
近年、都市部におけるヒートアイランド現象の緩和や大気の浄化、アメニティ空間の創出などを目的として、植物を植栽した緑化基盤を建物の壁面に設置する壁面緑化が行われている。壁面緑化の技術には、施工性の良さや、維持管理の簡素化などが求められている。
【０００３】
壁面緑化の技術として、例えば、特許文献１には、植物が植えられた複数の植栽ユニットを外壁面に沿って上から下へ吊り下げた壁面緑化方法が開示されている。また、特許文献２および３には、植物を栽培した基盤や基盤を装着したパネルを建物の壁面に取り付ける壁面緑化方法が開示されている。また、特許文献４には、建物の外壁から突出した複数の腕木に、外壁との間に隙間をあけて複数のフレームを設け、このフレームにネットなどを張り、蔓性植物などの植栽を施した建物の緑化装置が開示されている。
【先行技術文献】
【特許文献】
【０００４】
【特許文献１】特開２００４−２４８５５０号公報
【特許文献２】特開２００２−３０５９６２号公報
【特許文献３】特開２００２−０９５３４７号公報
【特許文献４】特開２００２−０３４３５０号公報
【発明の概要】
【発明が解決しようとする課題】
【０００５】
しかしながら、従来の壁面緑化の技術では、植物を植栽する基盤をフレームなどに取付けて、このフレームなどを壁面に設置していると共に、潅水経路も設けるため、構成部材が多く、施工が複雑であると共に、コストがかかるという問題があった。
また、特許文献２および３に開示された壁面緑化方法のように、植物を栽培した基盤や基盤を装着したパネルを建物の壁面に取り付ける場合、基盤内の水分が上方から下方に下りて基盤の上部側が乾いてしまい、潅水の頻度が高くメンテナンスに手間がかかることが考えられる。
【０００６】
本発明は、上述する問題点に鑑みてなされたもので、効率的に潅水できると共に、施工が容易にできる緑化構造を提供することを目的とする。
【課題を解決するための手段】
【０００７】
上記目的を達成するため、本発明に係る緑化構造は、珪藻土およびバイオマスケイク由来のマイクロ気孔と人工的に生成させたミリメートルサイズのトンネル構造孔隙とが相互に連結された二元構造の気孔を持つセラミックス焼結体からなり、帯状に形成されて植物が植栽される複数のセラミックス基盤が、壁面または互いに間隔をあけて配列された複数の支柱間に取り付けられた緑化構造であって、前記複数のセラミックス基盤は、植物が植栽される凹部が形成されていると共に、長さ方向が水平方向に対して傾斜し、前記セラミックス基盤の傾斜方向下側の端部の下方には、他の前記セラミックス基盤の傾斜方向上側の端部が位置していることを特徴とする。
【０００８】
本発明では、珪藻土およびバイオマスケイク由来のマイクロ気孔と人工的に生成させたミリメートルサイズのトンネル構造孔隙とが相互に連結された二元構造の気孔を持つセラミックス焼結体からなるセラミックス基盤が設けられることにより、保水性が高く潅水などのメンテナンスにかかる労力を軽減させることができる。また、セラミックス基盤に植物が植栽される凹部が形成されていることにより、植物の位置が安定し、風などによってセラミックス基盤から植物が離れることを防ぐことができる。
【０００９】
そして、複数のセラミックス基盤は、長さ方向が水平方向に対して傾斜し、セラミックス基盤の傾斜方向下側の端部の下方には、他のセラミックス基盤の傾斜方向上側の端部が位置していることにより、セラミックス基盤の傾斜に沿ってセラミックス基盤中を移動した水分がセラミックス基盤の傾斜方向の下端部から排出されて、下方に位置する他のセラミックス基盤の傾斜方向の上端部へ流入する。これにより、上側のセラミックス基盤に潅水を行えば、順々に下方に設置されたセラミックス基盤にも水分が行き渡るので、潅水作業が行いやすい。
また、セラミックス基盤は、フレームなどを使用せずに壁面または支柱に直接設置でき、潅水経路を設ける必要がないので、植物を植栽する基盤をフレームなどに取付けて、このフレームなどを壁面に設置し、潅水経路などを備える従来の緑化構造と比べて構成部材を少なくすることができる。これにより緑化構造の施工が容易となり、施工性を高めると共にコストを低減させることができる。
また、セラミックス基盤を傾斜して設置することにより、デザイン性を高めることができる。
【００１０】
また、本発明に係る緑化構造では、前記セラミックス基盤の傾斜方向下側の端部から、前記セラミックス基盤の下方に位置する他のセラミックス基盤の傾斜方向上側の端部へ水分を導く導水部材が設けられていることが好ましい。
本発明では、セラミックス基盤の傾斜方向下側の端部から、セラミックス基盤の下方に位置する他のセラミックス基盤の傾斜方向上側の端部へ水分を導く導水部材が設けられていることにより、上側のセラミックス基盤から排出された水分が下側のセラミックス基盤へ移動しやすく、確実に導かれるので、全てのセラミックス基盤に確実に潅水することができる。
また、導水部材の位置を調整することで下側のセラミックス基盤への給水位置を設定することができる。
【００１１】
また、本発明に係る緑化構造では、前記セラミックス基盤は、水平方向に対する傾斜角度が、１°以上１５°以下であることが好ましい。
本発明では、セラミックス基盤は、水平に対する傾斜角度が、１°以上１５°以下であることにより、セラミックス基盤の傾斜方向上側から下側に急激に水分が移動し、セラミックス基盤の傾斜方向上側の保水がきれることがなく、セラミックス基盤全体に均一に水分を行き渡らせることができる。
【００１２】
また、本発明に係る緑化構造では、前記複数のセラミックス基盤は、側面視で縦方向に延びるジグザグ状に配列されている構成としてもよい。
本発明では、複数のセラミックス基盤は、側面視で縦方向に延びるジグザグ状に配列されている構成することにより、デザイン性に富み、また所定の幅の壁面や支柱間に多くのセラミックス基盤を設置することができる。
【発明の効果】
【００１３】
本発明によれば、効率的に潅水できてメンテナンス性をよくすることができると共に、構成部材が少なく施工性を高めることができる。
【図面の簡単な説明】
【００１４】
【図１】（ａ）は本発明の第一の実施の形態による緑化構造の一例を示す正面図、（ｂ）は（ａ）のＡ−Ａ線断面図である。
【図２】（ａ）はセラミックス基盤の上面図、（ｂ）は（ａ）のＢ−Ｂ線断面図である。
【図３】本発明の第二の実施の形態による緑化構造の一例を示す正面図である。
【図４】（ａ）は図３のＣ−Ｃ断面図、（ｂ）は図３のＤ−Ｄ線矢視図、（ｃ）は図３のＥ−Ｅ線断面図である。
【図５】（ａ）は本実施の形態によるセラミックス基盤の変形例を示す上面図、（ｂ）は（ａ）のＦ−Ｆ線断面図である。
【図６】本実施の形態による緑化構造の変形例を示す図である。
【発明を実施するための形態】
【００１５】
以下、本発明の第一の実施の形態による緑化構造について、図１および図２に基づいて説明する。
図１（ａ）、（ｂ）に示すように、第一の実施の形態による緑化構造１では、ビルなどの建物の壁面１０に、多孔質のセラミックス焼結体からなる帯状のセラミックス基盤２が複数取り付けられ、セラミックス基盤２に形成された凹部３に植物４（図１（ａ）参照）が植栽されている。セラミックス基盤２は保水性を有していて、雨水や人為的に潅水された水分を保水し、植物４はこの保水された水分をその根から吸収して育成されている。
【００１６】
セラミックス基盤２は、珪藻土およびバイオマスケイク由来のマイクロ気孔と人工的に生成させたミリメートルサイズのトンネル構造孔隙とが相互に連結された二元構造の気孔を持つセラミックス焼結体によって形成されている。この二元構造の気孔を持つセラミックス焼結体およびその製造方法ついては、特開２００５−２３９４６７号公報に記載されており、天然資源として「珪藻土」が持つ気孔特性を利用して従来からこれらを原料としてセラミックスを造る際の欠点とされた加熱時の収縮キレツの発生を改善する為に加熱膨張性のスラグ等によって調整し、かつ商品の要求される機能に応じた大きいサイズのトンネル型の貫通気孔を共存させるという特徴を持つものである。
【００１７】
この二元構造の気孔を持つセラミックス焼結体は、トンネル構造孔隙の周りを微細なスポンジ状の気孔が取り巻いた連続貫通気孔を備えているので、連続貫通気孔により透水性が高く、気孔率が高いので保水性に優れている。
また、二元構造の気孔を持つセラミックス焼結体は、切断や穴あけ、釘やネジなどの金物の使用も可能であると共に軽量であるので、加工性および施工性に優れている。
【００１８】
また、所定の厚さの板状に形成されたセラミックス焼結体は、その面方向を上下方向として設置され上方から給水されると、給水された水を吸収して保水し、許容保水量を超えた水を、主に側面から排出し下面からはほとんど排出しない構造である。このため、セラミックス基盤２の下方に、下面から排出される水分を受ける受け皿などの部材を設置する必要がない。
【００１９】
図１および２に示すように、セラミックス基盤２は、セラミックス焼結体を板状に形成した第一および第二の板部材５、６を張り合わせた２層構造である。第一の板部材５と第二の板部材６とは、材質が同等であり、厚さ寸法は同一でも異なってもよい。
第一の板部材５は、第二の板部材６よりも上側に位置していて、厚さ方向に貫通する複数の貫通孔７が形成されている。この貫通孔７は、第一の板部材５の下側に第二の板部材６が設置されると、第二の板部材６の上面と共に凹部３を構成する。
【００２０】
図１（ａ）に示すように、セラミックス基盤２は、その長さ方向Ａ１が水平方向Ａ２に対して１°以上１５°以下傾斜した状態で壁面１０に取り付けられている。図１（ｂ）に示すように、壁面１０には、壁面１０から突出するように受金具８が設けられていて、セラミックス基盤２の両端部２ａ側が受金具８に保持されている。図１（ａ）に示すように、受金具８は、セラミックス基盤２が１°以上１５°以下の所定の角度に傾斜するよう壁面１０への設置位置が調整されている。
なお、本実施の形態では、受金具８は、セラミックス基盤２の両端部２ａ側の２箇所を保持するように設けられているが、セラミックス基盤２が傾斜している状態を保持できれば他の位置に設けられてもよく、２箇所以外の箇所数で保持してもよい。
【００２１】
セラミックス基盤２は、長さ方向Ａ１が水平方向Ａ２に対して１°以上１５°以下の所定の角度傾斜することにより、セラミックス基盤２内の水分は、傾斜方向の上側から下側に向う方向（図中の矢印Ａ３の方向）に移動し、セラミックス基盤２の傾斜方向の下側の端部２ａからセラミックス基盤２外に排出される。このとき、セラミックス基盤２の傾斜角度が１５°を超えると、セラミックス基盤２内の水分が急激に移動し、セラミックス基盤２の傾斜方向の上部側の保水が切れてしまう虞がある。このため、セラミックス基盤２の傾斜角を１°以上１５°以下とすることにより、セラミックス基盤２内を均一に保水すると共に、セラミックス基盤２内の水分を傾斜方向上側から下側へ移動させている。
【００２２】
セラミックス基盤２は、上下方向に複数配列されていて、上下方向に隣り合うセラミックス基盤２は、その長さ方向Ａ１が水平方向Ａ２に対し互いに逆方向に傾斜している。複数のセラミックス基盤２が設置された壁面１０を正面から見ると、複数のセラミックス基盤２は上下方向にジグザグ状に配列されている。
配列された複数のセラミックス基盤２のうち、上下方向に隣り合う任意の２つのセラミックス基盤２を、上側セラミックス基盤１１、下側セラミックス基盤１２とすると、上側セラミックス基盤１１は、傾斜方向下側の下端部１１ｂが、下側セラミックス基盤１２の傾斜方向上側の上端部１２ａと鉛直方向に重なっている。
【００２３】
上側セラミックス基盤１１の下端部１１ｂと下側セラミックス基盤１２の上端部１２ａとの間には、チェーンや紐、チューブなどの導水部材９が設けられている。
導水部材９は、上側セラミックス基盤１１の下端部１１ｂから排出された水分を下側セラミックス基盤１２へ導く部材である。導水部材９は、上端９ａが上側セラミックス基盤１１の下端部１１ｂと接し、下端９ｂが下側セラミックス基盤１２の傾斜方向上側の凹部３に挿入されている。
なお、導水部材９の下端９ｂは、下側セラミックス基盤１２の上端部１２ａ側の上面や上面の上方に間をあけて位置していてもよい。また、導水部材９は、上端９ａおよび下端９ｂが上側セラミックス基盤１１または下側セラミックス基盤１２の内部に挿し込まれていてもよい。
【００２４】
上述した第一の実施の形態による緑化構造１では、上側セラミックス基盤１１に潅水を行うと、上側セラミックス基盤１１が水分を吸収し保水状態となる。そして、上側セラミックス基盤１１内の水分は、上側セラミックス基盤１１の傾斜方向下側に移動し、下端部１１ｂから外部に排出される。
このとき、上側セラミックス基盤１１の下端部１１ｂから排出された水分は、導水部材９を伝わって下側セラミックス基盤１２へ移動し、下側セラミックス基盤１２に吸収される。
【００２５】
そして、下側セラミックス基盤１２においても、吸収された水分が傾斜方向下側に移動し、下端部１２ｂから排出されることになる。下側セラミックス基盤１２の下方にも、他のセラミックス基盤２が配設されている場合は、下側セラミックス基盤１２の水分は、更に下側に設けられたセラミックス基盤２へ移動する。
このように、一番上に設置されたセラミックス基盤２へ潅水を行うと、下方のセラミックス基盤２へ水分が移動し、複数のセラミックス基盤２が順次潅水されることになる。
【００２６】
また、下側セラミックス基盤１２が一番下のセラミックス基盤２の場合には、下端部１２ｂから排出された水分は、排水溝１３などに導かれるようにする。また、排水管などを設けて排出された水分を排水溝１３に導いてもよい。
なお、下端部１２ｂから排出された水分をタンクなどに収容し、ポンプなどで一番上のセラミックス基盤２へ循環させる機構を構成してもよい。
また、一番上に設置されるセラミックス基盤２の傾斜方向上側の端部２ａには、潅水用の給水管１４などを設置し、潅水作業時に給水管１４から潅水を行う。
【００２７】
次に、第一の実施の形態による緑化構造１の構築方法について説明する。
まず、図２に示すような凹部３が形成されたセラミックス基盤２を製作する。
そして、図１に示す壁面１０に受金具８を固定する。このとき、受金具８に保持されるセラミックス基盤２の傾斜が１°以上１５°以下の所定の角度となるように、受金具８の位置を調整する。また、上下方向にセラミックス基盤２がジグザグ上に配列するように受金具８を配置する。
そして、この受金具８上にセラミックス基盤２を載せて位置を合わせる。
【００２８】
続いて、上下方向に隣り合うセラミックス基盤２間に導水部材９を取り付ける。
また、一番上に位置するセラミックス基盤２の傾斜方向上側の端部２ａに給水管１４を設置し、一番下に位置するセラミックス基盤２の傾斜方向下側の端部２ａの下方には、排水溝１３や排水溝につながる排水管などを設ける。なお、既設の排水溝１３の位置に合わせてセラミックス基盤２の位置を設定してもよい。
なお、一番下のセラミックス基盤２から排出された水分を一番上のセラミックス基盤２へ循環させる場合には、排水タンクやポンプなどの循環機構を設ける。
【００２９】
そして、セラミックス基盤２に給水し、凹部３に植物４を植栽する。セラミックス基盤２への給水は、一番上のセラミックス基盤２に給水管１４から行い、下方のセラミックス基盤２へ順次水分を移動させて行う。
このようにして、本実施の形態による緑化構造１が完成する。
【００３０】
次に、上述した第一の実施の形態による緑化構造１の作用について図面を用いて説明する。
本実施の形態による緑化構造１によれば、セラミックス基盤２が保水性を有するため、植物４がセラミックス基盤２に含まれる水分を吸収して育成される。
また、セラミックス基盤２は、二元構造の気孔を持つセラミックス焼結体から形成されているので、従来のセラミックス焼結体よりも保水性が高く、潅水の頻度を少なくすることができる。
【００３１】
また、セラミックス基盤２は、その長さ方向Ａ１を水平方向Ａ２に対して傾斜して設置されることにより、セラミックス基盤２内の水分が、傾斜方向上側から下側へ移動する構成となる。そして、セラミックス基盤２の傾斜方向下側の端部２ａの下方には、他のセラミックス基盤２がその傾斜方向上側の端部２ａが位置するように設置されているので、上側のセラミックス基盤２の傾斜方向上側の端部２ａに潅水を行えば、上側のセラミックス基盤２内を水分が傾斜方向下側に移動し、傾斜方向下側の端部２ａから排出された水分がその下方に設置された他のセラミックス基盤２に供給されることになる。
これにより、一番上に設置されたセラミックス基盤２に潅水を行うことで、その下方に設置された他のセラミックス基盤２へ順次潅水が行われるので、潅水作業を容易に行うことができる。
【００３２】
また、本実施の形態による緑化構造１は、セラミックス基盤２を壁面１０に取付けた構造であるので、フレームや潅水経路が必要な従来の緑化構造と比べて部材が少なく施工が行いやすい。
また、セラミックス基盤２は、側面から水分を排出する構成であるので、凹部３には側方から水分が流入し、凹部３内の植物４に給水することができる。
また、植物４は、凹部３に配設されているので、位置が安定し風などによってセラミックス基盤２から離れることがない。
また、本実施の形態による緑化構造１は、必ずしも土壌を必要としないので、土壌を使用しない場合は、土壌が飛散してその土壌を回収する必要がなく、雑草などが侵入することを防ぐことができる。
また、セラミックス焼結体から形成されたセラミックス基盤２を使用しているため、可燃物は植物４だけであるので、耐火性が高い。
また、セラミックス基盤２を傾斜させて設置しているので、デザイン性を高めることができる。
【００３３】
上述した第一の実施の形態による緑化構造１では、効率的に潅水できてメンテナンス性をよくすることができると共に、構成部材が少なく施工性をよくできて、コストを軽減することができる効果を奏する。
【００３４】
次に、第二の実施の形態について、添付図面に基づいて説明するが、上述の第一の実施の形態と同一又は同様な部材、部分には同一の符号を用いて説明を省略し、第一の実施の形態と異なる構成について説明する。
図３および図４に示すように、第二の実施の形態による緑化構造２１では、パーティションのフレーム２２内にセラミックス基盤２が複数配設されている。
フレーム２２は、正面視で長方形状に組まれている左右の縦材２３および上下の横材２４と、上下の横材２４の前後に固定され上下方向に延びる複数の補強材（支柱）２５とから構成される。ここで、図４の矢印Ａ４の方向を前後方向とする。
フレーム２２は、地面または床面に設置された脚部２６に支持されている。
【００３５】
図４（ａ）に示すように、セラミックス基盤２は、横材２４の前後の補強材２５間に設置されていて、補強材２５に固定された受金具２７によってその位置が保持されている。図３に示すように、複数のセラミックス基盤２は、第一の実施の形態と同様に上下方向に配列されている。また、図示していないが、凹部３には植物が設置されている。
図３に示すように、セラミックス基盤２の傾斜方向下側の端部２ａには、セラミックス基盤２から排出された水分を受ける水受金物３１が設けられている。水受金物３１は、セラミックス基盤２の傾斜方向下側の端部２ａを覆う箱状に形成されている。
【００３６】
図３および図４（ｃ）に示すように、水受金物３１は、セラミックス基盤２の下面２ｂの下側に位置する底板３２に、貫通孔３３が形成されていると共に貫通孔３３に向って下側に向う勾配が形成されている。また、底板３２の下側には、貫通孔３３と連続する導水パイプ３６が設けられている。
導水パイプ３６には、チェーンや紐などの導水部材３７が挿入されていて、導水部材３７の上端３７ａは、セラミックス基盤２または水受金物３１の底板３２または導水パイプ３６の内周面に連結されている。また、図３に示すように、導水部材３７の下端３７ｂは、下側の他のセラミックス基盤２の凹部３内に挿入されている。
【００３７】
上述した第二の実施の形態による緑化構造２１によれば、セラミックス基盤２の内部をその傾斜方向に沿って移動してきた水分は、傾斜方向下側の端部２ａから排出され、水受金物３１の底板３２をその勾配に沿って流れて、貫通孔３３および導水パイプ３６へ流入し、導水部材３７に導かれて下側の他のセラミックス基盤２の凹部３内に流入する。
また、第二の実施の形態では、一番下側に設置されたセラミックス基盤２の下側に、このセラミックス基盤２から排出された水を収容する受水層３８が設けられており、受水層内の水はポンプ３９（図３参照）によって一番上のセラミックス基盤２へ給水される。
【００３８】
第二の実施の形態による緑化構造２１は、第一の実施の形態と同様の効果を奏し、建物の壁面だけでなくパーティションにも活用できる。また、セラミックス基盤２の端部２ａに水受金物３１が設けられていることにより、セラミックス基盤２から排出された水分を下方の他のセラミックス基盤２へ効率よく移動させることができる
【００３９】
以上、本発明による緑化構造１の実施の形態について説明したが、本発明は上記の実施の形態に限定されるものではなく、その趣旨を逸脱しない範囲で適宜変更可能である。
例えば、上述した実施の形態では、セラミックス基盤２は、貫通孔７を備える第一の板部材５と第二の板部材とを張り合わせた２層構造で、貫通孔７の内部が凹部３となっているが、２層構造のセラミックス基盤２に代わって、凹部３が形成された単層構造のセラミックス基盤２としてもよい。
また、上述した実施の形態では、セラミックス基盤２は、第一の板部材５と第二の板部材とが１枚ずつ張り合わせされているが、植物４を保持する凹部３が形成されていれば、図５（ａ）、（ｂ）に示すように、貫通孔７が形成された複数の第一の板部材５Ｂが、第二の板部材６上に長さ方向Ａ１へ互いに間隔をあけて配設されていてもよい。
また、上述した実施の形態では、複数のセラミックス基盤２が正面視でジグザグ状に配列されているが、図６に示すように、同じ方向に傾斜する複数のセラミックス基盤２が正面視で斜めに連なるように設置されてもよい。またデザインに合わせて、傾斜方向や傾斜角度を設定してもよい。
【００４０】
また、上述した実施の形態では、上側セラミックス基盤１１の下端部１１ｂと下側セラミックス基盤１２の上端部１２ａとの間に導水部材９が設けられているが、導水部材９を設けずに上側セラミックス基盤１１から排出された水分が下側セラミックス基盤１２上に落ちる構成としてもよい。
また、上述した実施の形態では、上側セラミックス基盤１１の下端部１１ｂと下側セラミックス基盤１２の上端部１２ａとが鉛直方向に重なっているが、導水部材９によって上側セラミックス基盤１１から排出された水分が下側セラミックス基盤１２に導かれる構成であれば、上側セラミックス基盤１１の下端部１１ｂと下側セラミックス基盤１２の上端部１２ａとは鉛直方向に重ならなくてもよい。
【００４１】
また、上述した実施の形態では、セラミックス基盤２の壁面１０や補強材２５への設置に受金具８、２７を使用しているが、受金具８、２７に代わって釘やネジ、接着剤などを使用してもよい。
また、上述した第二の実施の形態では、フレーム２２内にセラミックス基盤２が設置された緑化パーティションとしているが、立設された支柱やパネル（壁面）などの片側や両側に、複数のセラミックス基盤２を設置する緑化パーティションや緑化フェンスとしてもよい。また、壁面１０の両側にセラミックス基盤２を設置してもよい。
【符号の説明】
【００４２】
１、２１  緑化構造
２  セラミックス基盤
２ａ  端部
３  凹部
４  植物
８、２７  受金具
９、３７  導水部材
１０  壁面
１１  上側セラミックス基盤
１２  下側セラミックス基盤
２５  補強材（支柱）
【図１】
2011182680.tif 000003
【図２】
2011182680.tif 000004
【図３】
2011182680.tif 000005
【図４】
2011182680.tif 000006
【図５】
2011182680.tif 000007
【図６】
2011182680.tif 000008